(57)【要約】【課題】  プレイヤーの育成馬を含めた複数の馬が参加可能であり、前記複数の馬が夫々保有する一又は複数のパラメータ値に基づき競馬レースを行うレースフェーズと、前記競馬レースのために前記育成馬を調教して前記一又は複数のパラメータ値の少なくとも一つを変動させる調教フェーズとを含む競馬ゲームシステムにおいて、能力パラメータ以外の前記ファクタを組み込み、現実のレースにより即した競馬ゲームシステムの提供。【解決手段】  前記レースフェーズにおけるレース結果及び／又はレース内容に影響を与える一又は複数の、前記一又は複数のパラメータ以外のパラメータが、前記レースフェーズにおける過去のレース結果及び／又はレース内容、並びに／或いは、前記調教フェーズにおける過去の調教結果に基づき付与される経験パラメータであることを特徴とする競馬ゲームシステム。【選択図】  図１
2006068131.tif 000002
【特許請求の範囲】
【請求項１】
プレイヤーの育成馬を含めた複数の馬が参加可能であり、前記複数の馬が夫々保有する一又は複数のパラメータ値に基づき競馬レースを行うレースフェーズと、前記競馬レースのために前記育成馬を調教して前記一又は複数のパラメータ値の少なくとも一つを変動させる調教フェーズとを含む競馬ゲームシステムにおいて、
前記レースフェーズにおけるレース結果及び／又はレース内容に影響を与える一又は複数の、前記一又は複数のパラメータ以外のパラメータが、前記レースフェーズにおける過去のレース結果及び／又はレース内容、並びに／或いは、前記調教フェーズにおける過去の調教結果に基づき付与される経験パラメータであることを特徴とする競馬ゲームシステム。
【請求項２】
更に、前記競馬レースのために馬の世話をして前記一又は複数のパラメータ値の少なくとも一つを変動させる厩舎フェーズを含む、請求項１記載の競馬ゲームシステム。
【請求項３】
前記一又は複数のパラメータ値が、馬のフィジカルな能力及び／又はメンタルな状態に関するパラメータ値である、請求項１又は２記載の競馬ゲームシステム。
【請求項４】
前記レースフェーズにおいて、レース途中で、前記経験パラメータを含む、前記育成馬のレース運びに関連した一又は複数のレース運び関連指示候補が表示され、プレイヤーが、前記経験パラメータを選択した場合、前記選択しない場合と比較して、前記レースの結果が異なり得るよう構成されている、請求項１〜３のいずれか一項記載の競馬ゲームシステム。
【発明の詳細な説明】
【技術分野】
【０００１】
本発明は、例えば、いわゆるゲームセンターに設置されるアーケードゲーム装置に適用可能な、競馬レースに勝つことを一目的として、プレイヤーが自身の所有馬を調教する等して強い馬を育成する競馬ゲームシステムに関する。
【背景技術】
【０００２】
従来より、例えば、プレイヤーが自身の配合理論に基づき種牡馬と繁殖牝馬を掛け合わせて能力値の高い馬を生産したり、プレイヤー自身の理論に基づき所有馬を調教することにより能力値の高い馬に鍛える等することを通じて、幾多の競馬レースで勝利を収めることを目指した各種競馬ゲームシステムが存在する。例えば、特許文献１記載の競馬ゲームシステムは、競争馬の血統や配合を重要視し、例えば種牡馬のアーニングインデックス等に基づいて当該競争馬の能力パラメータを決定している。また、同じように馬の強弱をパラメータで決定する手法として、例えば、特許文献２記載の競馬ゲームシステムは、育成馬の能力として、スタミナ、スピード、コンディションというパラメータを準備し、当該パラメータの数値を調教により上昇させるというゲーム内容となっている。
【特許文献１】特許第３３１５６７８号
【特許文献２】特許第３３０８９６３号
【発明の開示】
【発明が解決しようとする課題】
【０００３】
ところで、現実の競馬レースにおいては、馬の絶対能力が高い場合でも、必ずしも能力通りの結果とはならない。その一理由として、レースのペースや当該ペースにおける馬の位置取りを挙げることができる。例えば、超ハイペースで逃げ馬と競うような位置に馬を配した場合、ゴールに辿り着く前に当該馬はバテて脚が止まる一方、当該ペースで後方位置に馬を配した場合には、ゴール前で溜めていた力を効率よく一気に出せ好結果を出せる傾向にある。
【０００４】
そこで、本発明は、能力パラメータ以外の、経験に基づいた新規パラメータを導入し、現実のレースにより即した競馬ゲームシステムを提供することを目的とする。
【課題を解決するための手段】
【０００５】
本発明（１）は、プレイヤーの育成馬を含めた複数の馬が参加可能であり、前記複数の馬が夫々保有する一又は複数のパラメータ値に基づき競馬レースを行うレースフェーズと、前記競馬レースのために前記育成馬を調教して前記一又は複数のパラメータ値の少なくとも一つを変動させる調教フェーズとを含む競馬ゲームシステムにおいて、
前記レースフェーズにおけるレース結果及び／又はレース内容に影響を与える一又は複数の、前記一又は複数のパラメータ以外のパラメータが、前記レースフェーズにおける過去のレース結果及び／又はレース内容、並びに／或いは、前記調教フェーズにおける過去の調教結果に基づき付与される経験パラメータであることを特徴とする競馬ゲームシステムである。
【０００６】
本発明（２）は、更に、前記競馬レースのために馬の世話をして前記一又は複数のパラメータ値の少なくとも一つを変動させる厩舎フェーズを含む、前記発明（１）の競馬ゲームシステムである。
【０００７】
本発明（３）は、前記一又は複数のパラメータ値が、馬のフィジカルな能力及び／又はメンタルな状態に関するパラメータ値である、前記発明（１）又は（２）の競馬ゲームシステムである。
【０００８】
本発明（４）は、前記レースフェーズにおいて、レース途中で、前記経験パラメータを含む、前記育成馬のレース運びに関連した一又は複数のレース運び関連指示候補が表示され、プレイヤーが、前記経験パラメータを選択した場合、前記選択しない場合と比較して、前記レースの結果が異なり得るよう構成されている、前記発明（１）〜（３）のいずれか一つの競馬ゲームシステムである。
【０００９】
尚、本発明（１）〜（４）に加え、以下の態様を任意に組み合わせてもよい。
【００１０】
態様１−１は、プレイヤーの育成馬を含めた複数の馬が参加可能であり、前記複数の馬が夫々保有する一又は複数のパラメータに基づき競馬レースを行うレースフェーズを含む競馬ゲームシステムにおいて、レース途中で、前記育成馬のレース運びに関連した一又は複数のレース運び関連指示候補が表示され、プレイヤーが、前記指示候補から所定のレース運び関連指示を選択した場合、前記選択しない場合と比較して、前記レースの結果が異なり得るよう構成されていることを特徴とする競馬ゲームシステムである。
【００１１】
態様１−２は、前記指示候補の内、少なくとも一の指示候補が、前記馬が過去に経験したレース内容及び／又はレース結果に基づき、与えることが可能となるよう構成されている、前記態様１−１の競馬ゲームシステムである。
【００１２】
態様１−３は、前記一又は複数のパラメータが、馬のフィジカルな能力及び／又はメンタルな状態に関するパラメータである、前記態様１−１又は１−２の競馬ゲームシステムである。
【００１３】
態様１−４は、当該競馬ゲームシステムが、前記馬を調教して前記フィジカル能力及び／又は前記メンタル状態に関するパラメータを変動させ得る調教フェーズ並びに／或いは前記馬の世話をして前記フィジカル能力及び／又は前記メンタル状態に関するパラメータを変動させ得る厩舎フェーズを更に含む、前記態様１−３の競馬ゲームシステムである。
【００１４】
態様１−５は、前記指示候補の内、少なくとも一の指示候補が、前記調教フェーズでの過去の調教結果及び／又は前記厩舎フェーズでの過去の世話結果に基づき、与えることが可能となるよう構成されている、前記態様１−４の競馬ゲームシステムである。
【００１５】
態様１−６は、レース中に前記所定のレース運び関連指示が与えられた場合、前記所定のレース運び関連指示が当該レース結果に重要な影響を与えたことを示唆する表示を行うよう構成されている、前記態様１−１〜１−５のいずれか一つの競馬ゲームシステムである。
【００１６】
態様２−１は、一又は複数のパラメータの値に応じてゲームの進行及び／又は結果を決定するゲームシステムにおいて、前記パラメータ値の少なくとも一つのパラメータ値の大小に応じて色と大きさがリンクして変化可能なオブジェクトを画面に表示することを特徴とするゲームシステムである。
【００１７】
態様２−２は、色が変化するに従い、大きさが連続的に又は段階的に変化する、前記態様２−１のゲームシステムである。
【００１８】
態様２−３は、前記少なくとも一つのパラメータ値が大きくなるに従い、色は寒色から暖色又は暖色から寒色或いは薄系色から濃系色又は濃系色から薄系色に移行し、大きさは小から大に移行する、前記態様２−１又は２−２のゲームシステムである。
【００１９】
態様２−４は、前記オブジェクトが、前記少なくとも一つのパラメータと異なるパラメータの値に応じて運動可能である、前記態様２−１〜２−３のいずれか一つのゲームシステムである。
【００２０】
態様２−５は、前記運動が、前記オブジェクトの自転運動、公転運動又は伸縮運動である、前記態様２−４のゲームシステムである。
【００２１】
態様２−６は、前記異なるパラメータの値の大きくなるに従い、前記運動量も連続的に又は段階的に大きくなる、前記態様２−４又は２−５のゲームシステムである。
【００２２】
態様２−７は、前記ゲームシステムが、複数の馬が参加可能であり、前記複数の馬が夫々保有する、前記少なくとも一つのパラメータを含む一又は複数パラメータの値に基づき競馬レースを行うレースフェーズを含む競馬ゲームシステムである、前記態様２−１〜２−６のいずれか一つゲームシステムである。
【００２３】
態様２−８は、前記少なくとも一つのパラメータ値が、馬のフィジカルな能力及び／又は馬のメンタルな状態に関するパラメータ値である、前記態様２−７のゲームシステムである。
【００２４】
態様２−９は、前記ゲームシステムが、前記馬を調教する調教フェーズ及び／又は前記馬の世話を行う厩舎フェーズを含み、前記少なくともいずれか一つのフェーズにおいて、前記馬のフィジカルな能力及び／又は前記メンタルな状態に関するパラメータ値を変動させ得る、前記態様２−８のゲームシステムである。
【００２５】
態様３−１は、一又は複数のパラメータの値に応じてゲームの進行及び／又は結果を決定するゲームシステムにおいて、画面上に表示された画像の変化に基づいて、前記一又は複数のパラメータ値が変動可能であり、かつ、プレイヤーがタッチパネルを通じて前記画像を直接変化させ得るよう構成されていることを特徴とするゲームシステムである。
【００２６】
態様３−２は、前記画像の変化が、前記画像の位置の変化、前記画像の形状の変化、前記画像の色の変化及び／又は前記画像の動きの変化である、前記態様３−１のゲームシステムである。
【００２７】
態様３−３は、前記ゲームシステムが、複数の馬が参加可能であり、前記複数の馬が保有する前記一又は複数パラメータ値に基づき競馬レースを行うレースフェーズを含む競馬ゲームシステムである、前記態様３−１又は３−２のゲームシステムである。
【００２８】
態様３−４は、前記一又は複数のパラメータ値が、馬のフィジカルな能力及び／又は馬のメンタルな状態に関するパラメータ値である、前記態様３−３のゲームシステムである。
【００２９】
態様３−５は、前記ゲームシステムが、前記馬を調教する調教フェーズ及び／又は前記馬の世話を行う厩舎フェーズを含み、前記少なくともいずれか一つのフェーズにおける前記画像の変化に基づき、前記馬のフィジカルな能力及び／又は前記メンタルな状態に関するパラメータ値を変動させ得る、前記態様３−４のゲームシステムである。
【発明の効果】
【００３０】
本発明（１）によれば、競馬レースでのレースの結果やレース内容に影響を与えるファクタの少なくとも一部が、過去のレース内容や調教結果に基づきはじめて与えられるので、前記ファクタの獲得のために、プレイヤーに対して、レースや調教内容について熟考させる動機付けを与えることができ、ゲームに広がりを持たせることが可能になるという効果を奏する。
【００３１】
本発明（２）によれば、前記発明（１）の効果に加え、厩舎での世話内容に基づいても前記ファクタが付与され得るので、プレイヤーに対して、世話内容についても熟考させる動機付けを与えることができ、ゲームに更に広がりを持たせることが可能になるという効果を奏する。
【００３２】
本発明（３）によれば、前記発明（１）又は（２）の効果に加え、馬のフィジカルな能力等というパラメータを採用しているので、当該パラメータをも意識したレース内容や調教内容にする必要がある点で、プレイヤーに対して、更に熟考させる動機付けを与え得るという効果を奏する。
【００３３】
本発明（４）によれば、前記発明（１）〜（３）のいずれか一つの効果に加え、競馬レースの途中で、プレイヤーがレースに関与することができるタイミングが設けられているので、従来の競馬レースのようにレースがスタートした後にただ当該レースを眺めているだけという退屈な状況が回避できると共に、プレイヤーが当該レースの内容に応じて、前記プレイヤー馬のレース運びを変更指示でき、当該変更指示によりレース結果が変わり得る構成であるので、当該タイミングが来るまでの当該レースのペースや展開等にプレイヤーを集中させる状況を構築できると共に、当該タイミングで与えることができる指示は、レース運び指示変更候補から選択するという形態を採ったので、複雑な操作を行うことなく誰にでも簡単にレース運びの変更を可能としたという効果を奏する。
【００３４】
その他、上記形態と組み合わせたときに付加される効果を以下に記載する。
【００３５】
本態様１−１によれば、競馬レースの途中でプレイヤーがレースに関与することができるタイミングが設けられているので、従来の競馬レースゲームのようにレースがスタートした後にただ当該レースを眺めているだけという退屈な状況が回避できると共に、プレイヤーが当該レースの内容に応じて、前記プレイヤー馬のレース運びを変更指示でき、当該変更指示によりレース結果が変わり得る構成であるので、当該タイミングが来るまでの当該レースのペースや馬の位置取り等にプレイヤーを集中させる状況を構築できると共に、当該タイミングで与えることができる指示は、レース運び指示変更候補から選択するという形態を採ったので、複雑な操作を行うことなく誰にでも簡単にレース運びの変更を可能としたという効果を奏する。
【００３６】
本態様１−２によれば、上記態様１−１の効果に加え、レース運びに関する指示が、当該馬の過去の経験に基づき付与されるので、例えば、レース中でも、単なる勝ち負けだけでなく、より多くの経験をさせようという試みをプレイヤーにさせる動機付けを与えることができ、ゲームにより広がりを持たせることが可能になるという効果を奏する。
【００３７】
本態様１−３によれば、上記態様１−１又は１−２の効果に加え、当該レースが、馬のフィジカルな能力及び／又はメンタルな状態に関するパラメータ値に基づくという、実際の競馬レースでの主要パラメータと考えられているものを採用しているので、プレイヤーにより実践に近い競馬ゲームを楽しませることが可能になるという効果を奏する。
【００３８】
本態様１−４によれば、前記態様１−３の効果に加え、調教や厩舎フェーズという、所有馬を育成するフェーズを設け、当該フェーズで当該パラメータ値が変動しうるという構成を採ることにより、所有馬を育成して強い馬にした上でレースに出すという、現実の育成と同様の体験をプレイヤーに享受させることができるという効果を奏する。
【００３９】
本態様１−５によれば、前記態様１−４の効果に加え、調教フェーズでの調教結果等を反映して、レース中に当該レース運びを変え得るレース運び関連指示候補を付与する構成とすることにより、プレイヤーに対して前記調教フェーズでの調教内容について熟考させるという動機付けを付与することができ、ゲームにより広がりを持たせることが可能になるという効果を奏する。
【００４０】
本態様１−６によれば、本態様１−１〜１−５の効果に加え、レース中に当該レース運びに関連する指示を与えた場合、それが有効であったか否かが示唆可能になるので、有効であることが示唆された表示の場合には、プレイヤーに自身の判断が正しかった旨の満足感を与え、それが有効でなかったことが示唆された表示の場合には、プレイヤーに自身の判断の甘さを知らしめることができるという効果を奏する。
【００４１】
本態様２−１によれば、所定のパラメータ値の大小が、色と大きさという二つのファクタに基づき決定されるので、一つのパラメータしか用いない場合と比較して、パラメータ値の僅かな違いをプレイヤーに知覚させることが可能になるという効果を奏する。
【００４２】
本態様２−２によれば、前記態様２−１の効果に加え、色の変化に従い、大きさが連続的又は段階的に変化するので、大きさの大小が視覚的に確認できない場合であっても、プレイヤーが色の違いを判別できれば、それに基づいてパラメータ値の大小を決定できるという効果を奏する。
【００４３】
本態様２−３によれば、前記態様２−１又は２−２の効果に加え、例えば、パラメータ値が大きくなるに従い寒色から暖色に変化するため、パラメータ値の変化に従った変色が認識し易いという効果を奏する。
【００４４】
本態様２−４によれば、前記態様２−１〜２−３のいずれかの効果に加え、他のパラメータ値の大小に関しては運動という構成を採ったことにより、当該パラメータ値の大きさが視覚的に認識され易いという効果を奏する。
【００４５】
本態様２−５によれば、前記態様２−４の効果に加え、自転運動等といった運動であることにより、よりプレイヤーの目につきやすいという効果を奏する。
【００４６】
本態様２−６によれば、前記態様２−５の効果に加え、他のパラメータの大きさに対応して運動量も変化するという構成を採ることにより、当該パラメータの大きさの程度をプレイヤーは視認容易な形で推測することが可能となるという効果を奏する。
【００４７】
本態様２−７によれば、前記態様２−１〜２−６の効果に加え、パラメータが非常に重要視されるレースを含む競馬ゲームに適用することにより、当該重要パラメータの僅かな大小の違いも容易に視認できるという効果を奏する。
【００４８】
本態様２−８によれば、馬のフィジカルな能力等という競馬レースにおいて極めて重要なパラメータに適用することにより、当該僅かな大小の違いを認識した上でプレイヤーは当該競馬ゲームに望むことが可能になるという効果を奏する。
【００４９】
本態様２−９によれば、調教や厩舎フェーズという、所有馬を育成するフェーズを設け、当該フェーズで当該パラメータ値が変動しうるという構成を採ることにより、当該僅かな大小の違いを認識した上で、プレイヤーはこれら各フェーズに望むことができるという効果を奏する。
【００５０】
本態様３−１によれば、ゲーム上重要なパラメータと関連する画像をタッチパネルを通じて直接変化させることができるので、プレイヤーにとっては当該画像をどのように変化させるかについての事前知識が不要であり、加えて、かつ、タッチパネルでの指の動きに従い前記画像は変動するので、プレイヤーの意思に従い当該画像を容易に変化させることが可能であるという効果を奏する。
【００５１】
本態様３−２によれば、前記態様３−１の効果に加え、タッチパネルで指を動かすだけで、画像の位置の変化や形状の変化といった各種変化に容易に対応することができるという効果を奏する。
【００５２】
本態様３−３によれば、前記態様３−１又は３−２の効果に加え、パラメータが非常に重要視されるレースを含む競馬ゲームに適用することにより、前記実際に行われる調教や世話での苦労を体感でき、自分で馬を育成しているという感覚をプレイヤーに抱かせ得ることが可能になるという効果を奏する。
【００５３】
本態様３−４によれば、馬のフィジカルな能力等という競馬レースにおいて極めて重要なパラメータに適用することにより、当該重要パラメータに係る画像の変動を容易に行うことが可能になるという効果を奏する。
【００５４】
本態様３−５によれば、調教や厩舎フェーズという、所有馬を育成するフェーズを設け、当該フェーズで当該パラメータ値が変動しうるという構成を採ることにより、前記各フェーズにおいて、当該重要パラメータに係る画像の変動を容易に行うことが可能になるという効果を奏する。
【発明を実施するための最良の形態】
【００５５】
以下、本明細書における各用語の意義を明らかにすると共に、本発明の最良形態について詳述する。尚、本発明の技術的範囲は、以下で挙げる最良形態に何ら限定されるものではない。
【００５６】
「フィジカルパラメータ」とは、馬の絶対能力を示すパラメータを意味し、「メンタルパラメータ」とは、前記「フィジカルパラメータ」をどの程度発揮させるかのパラメータを意味し、「経験パラメータ」とは、同一の「フィジカルパラメータ」値及び同一の「メンタルパラメータ」値で、レース結果を変動させ得るパラメータを意味する。尚、「フィジカルパラメータ」には、馬が生まれながらに有する「潜在能力値」（先天的能力値）と、調教フェーズ、厩舎フェーズ及びレースフェーズでの経験により有している「実際の値」（後天的能力値）の両方があるが、本明細書でいう「フィジカルパラメータ」は「実際の値」を意味する。
【００５７】
具体的には、「フィジカルパラメータ」とは、馬の絶対的な能力の指標となるパラメータであり、例えば、馬の絶対スピードの程度や高速馬場やハイペースでの対応能力の程度を示すスピードパラメータ、馬の持久力の程度の示すスタミナパラメータ、道悪やダートといった力の要る馬場への適性能力の程度を示すパワーパラメータ、レースでの集中力や知性の程度を示す気性、ゲートが開いてからスタートするまでの条件反射能力の程度を示すスタートパラメータを挙げることができる。次に、「メンタルパラメータ」とは、馬の体調や気分の指標となるパラメータであり、例えば、レースや調教時のやる気の程度の指標となるやる気パラメータ、レースで能力が発揮できる状況にどの程度なっているかの指標となる仕上がりパラメータ、現時点でどの程度疲労しているかの指標となる疲労パラメータを挙げることができる。「経験パラメータ」とは、これまでの経験（例えば、レースでの経験、調教での経験）に基づいて変化し得るものであって、その値によりレース運び指示候補（スキル）を取得するものができるものである。尚、前記レース運び指示候補は、デフォルトとして当初より所持しているものを含む。尚、経験パラメータの種類としては、大逃げ経験パラメータ、逃げ経験パラメータ、先行経験パラメータ、差し経験パラメータ及び追い込み経験パラメータがある。また、スキルの例としては、大逃げ経験パラメータに関しては、「大逃げ」、「先頭付近」、「現在位置キープ」、「ハナに立つ」、「超大逃げ」、逃げ経験パラメータに関しては、「逃げる」、「先頭付近」、「現在位置キープ」、「ハナに立つ」、先行経験パラメータに関しては、「逃げる」、「先行」、「中団へ下げる」、「現在位置キープ」、「逃げ馬つつけ」、差し経験パラメータに関しては、「先団に取り付く」、「中団キープ」、「後方へ下げる」、「現在位置キープ」、追い込み経験パラメータに関しては、「中団へ取り付く」、「後方待機」、「現在位置キープ」、「最後方」、「一頭最後方」等を挙げることができる。
【００５８】
尚、図１（Ａ）に、「フィジカルパラメータ」、「メンタルパラメータ」及び「スキル」の概念図を示す。図中、黒丸部分が、馬の絶対能力を示す「フィジカルパラメータ」であり、当該パラメータの値が、レース結果を決定する最も大きなパラメータである。そして、図中、点線部分が、「メンタルパラメータ」を考慮した上での当該レースにおける「フィジカルパラメータ」の修正値であり、「メンタルパラメータ」の値が高い場合には、「フィジカルパラメータ」の値も高い値に修正され、逆に、「メンタルパラメータ」の値が低い場合には、「フィジカルパラメータ」の値も低い値に修正される。即ち、馬がある絶対能力をもっている場合、馬の体調や精神状態が良好な場合には、本来もっている絶対能力以上の能力を発揮する状態となり、逆に、馬の体調や精神状態が悪い場合には、本来もっている絶対能力を発揮できない状態になるということである。ところで、参加馬の能力値の他、レース内容（レース運び）というものもレースの順位を決定する重要ファクタである。即ち、図１（Ａ）中のＡのように、あるレース運びを採った場合にはある順位になるものが、同一の「フィジカルパラメータ」値と同一の「メンタルパラメータ」値であったとしても、図１（Ａ）のＢのように別のレース運びを採った場合には順位が下がったり、図１（Ａ）のＣのように更に別のレース運びを採った場合には順位が上がったりする。このようにレース運びを変えうるのが、「経験パラメータ」に基づくスキル（レース運び関連指示）である。但し、指示されたスキルに基づき当該指示に従い得るか否かは、「フィジカルパラメータ」及び「メンタルパラメータ」の値が関係する。例えば、「直線鬼脚」というスキルを指示したとしても、当該馬の「フィジカルパラメータ」や「メンタルパラメータ」値が極端に低い場合には、結果として当該指示に従うことができない状況もあり得る。
【００５９】
次に、図１（Ｂ）に、「経験パラメータ」とスキル｛レース運び指示（候補）｝との関係を示す。当該図に示すように、経験パラメータが所定値に達した場合、所定のスキルを取得する構成になっている。具体的には、経験パラメータが大きくなるにつれて、経験パラメータが所定値に達した場合に、スキル１、スキル２及びスキル３を順に取得することになる。
【００６０】
次に、本最良形態における各パラメータの値が、各フェーズでどのように変わる（増加、減少）のかを概説する。まず、「フィジカルパラメータ」は、調教を行うことにより、調教の種類に応じて、各パラメータ値が増加する。例えば、コース調教するとスピード値がアップし、坂路調教やプール調教するとスタミナやパワーがアップし、ゲート練習をするとスタート能力がアップする。ここで、これらパラメータのアップ率は、例えば、「メンタルパラメータ」の「やる気」と「疲労」パラメータに依存し、やる気パラメータの値が大きい程、また、疲労パラメータの値が小さい程、同一内容の調教であっても、「フィジカルパラメータ」のアップ率は大きくなる。更に、「フィジカルパラメータ」は、餌を与えることにより、餌の種類や量に応じて、各パラメータ値が増加する。例えば、当該パラメータの内、「スタミナパラメータ」及び「パワーパラメータ」は、餌の付与によりアップし得る。更に、「フィジカルパラメータ」は、レースを行うことにより、当該レース結果や当該レース内容に基づき、各パラメータ値が増加する。例えば、当該レースで抜群のスタートを行った場合には、スタートパラメータがアップし、早いタイムでゴールした場合にはスピードパラメータがアップし、不良馬場で好成績を挙げた場合にはパワーパラメータがアップする。
【００６１】
次に、「メンタルパラメータ」は、調教を行うことにより、調教の種類に応じて、各パラメータ値が増減する。例えば、コース調教や追い切りをすると「やる気パラメータ」や「仕上がりパラメータ」はアップする。「疲労パラメータ」に関しては、原則としてどの種類の調教を行ってもアップする（疲労する）が、森林馬道の調教の場合はダウンする（疲労がとれる）。更に、「メンタルパラメータ」は、世話をすることにより、世話の種類や程度に応じて、各パラメータ値が増減する。例えば、馬をブラシで満遍なくなでてあげるブラッシング（プレイヤーがタッチパネル上で実際にブラシを操作する）により、上手にできれば「やる気パラメータ」がアップし、蹄鉄をうまく馬の脚にはめる装蹄（プレイヤーがタッチパネル上で実際に蹄鉄を動かし、馬のひずめに装着する）により、上手にはまれば「やる気パラメータ」がアップし、シャワーで馬の汚れを落とすシャワー作業（プレイヤーがタッチパネル上で実際にシャワーを動かし、馬の汚れ部分をまんべんなく洗浄する）により、「やる気パラメータ」がアップし「疲労パラメータ」がダウンする。加えて、「メンタルパラメータ」は、餌を与える（プレイヤーがタッチパネル上で餌の種類を決定すると共に、バケツを傾けて餌の量を調整する）ことにより、餌の種類や量に応じて、各パラメータ値が増減する。例えば、餌を与えると基本的に「やる気パラメータ」はアップし「疲労パラメータ」はダウンするが、餌を与えすぎると太りすぎるために「仕上がりパラメータ」はダウンする。
【００６２】
まず、図２のブロック図を参照しながら、本最良形態における各構成要素について説明する。本最良形態に係る競馬ゲームシステムは、各フェーズにおける各種判断等を行う主制御部１と、画面上の画像を当該画像に指をタッチすること等により変化させることができ、かつ、当該ゲーム内容が表示可能なタッチパネル式ディスプレー２と、主制御部１からの指令に基づきディスプレー２上に所定の画像を表示する表示制御部３と、各種音響を制御する音響制御部４と、プレイヤー及び当該プレイヤーの育成馬に関する情報（プレイヤーの名前、育成馬の名前、各「フィジカルパラメータ」の潜在能力値と現在の値、各「メンタルパラメータ」の現在の値、獲得したスキルや「経験パラメータ」等）が記録可能なプレイヤーデータ管理部５と、前記プレイヤーデータが記録された読み書き可能なカードを挿入可能で、当該カードからゲーム開始時にはデータを取得してプレイヤーデータ管理部５に渡し、ゲーム終了時には前記カード中のデータをプレイヤーデータ管理部５中の最新データに更新するカードリーダー６と、競馬レース時に参加するコンピュータ馬（ＣＰＵ馬、他馬）の各種データが記録されている他馬データ管理部７と、外部とのネットワーク対戦を可能とした通信制御部８とから構成されている。
【００６３】
まず、図３のフローチャートを参照しながら、本最良形態に係る主な処理の流れを説明する。ステップ１００では、プレイヤーの操作に従い、当該プレイヤーの育成馬の調教を行い、主に当該馬の「フィジカルパラメータ」値を変化させるための調教に係る一連の処理を行う（調教フェーズ）。ステップ２００では、プレイヤーの操作に基づき、当該プレイヤーの育成馬の各種世話（例えば、ブラッシング、装蹄、シャワー等）を行い、主に当該馬の「メンタルパラメータ」値を変化させるための一連の処理｛厩舎フェーズ１（世話）｝を行う。ステップ３００では、プレイヤーの操作に基づき、当該プレイヤーの育成馬に餌を与え当該馬の「フィジカルパラメータ」値及び「メンタルパラメータ」値を変化させるための一連の処理｛厩舎フェーズ２（餌）｝を行い、ステップ５００で、参加馬の「フィジカルパラメータ」値及び「メンタルパラメータ」値に基づきレース時点での能力値を数値化すること等により、競馬レースを行う処理（レースフェーズ）を行う。以下、各フェーズでの処理について詳述する。
【００６４】
まず、図４のフローチャートを参照しながら、本最良形態に係る調教フェーズに係る処理について説明する。まず、ステップ４００、ステップ６００及びステップ７００で、主制御部１及び表示制御部３は、レース登録処理、フィジカルパラメータ処理及びメンタルパラメータ処理を行う。尚、これらの処理については後述する。次に、ステップ１０２で、表示制御部３は、前記「フィジカルパラメータ」及び「メンタルパラメータ」の表示と共に、当該週に調教を行うか否かの確認を求める表示を行い、主制御部１が、プレイヤーが調教を行うことを選択したか否かを判定する。尚、ステップ１０２でＮｏの場合、次の処理｛厩舎フェーズ１（世話）２００｝に移行する。
【００６５】
図５に、この段階での画面の表示内容の一例を示す。図５に示されるように、上段には、現在の時期（３月１週）、「調教」フェーズであること、プレイヤーの育成馬の名前（イッヒリーベ）が表示されている。そして、中段には、調教の有無をプレイヤーに確認する表示がなされている。
【００６６】
図５の上段右には、「メンタルパラメータ」に関する「やる気」、「仕上がり」及び「疲労」が、現時点におけるそれらの値と対応したインジケータ（三日月型）の形で表示されている。例えば、「やる気」に関しては、やる気インジケータは、完全に変色しているので、現時点ではやる気値が非常に高いことを示している。「仕上がり」に関しては、仕上がりインジケータは、半分程変色しているので、現時点では半分程度の仕上がり値であることを示している。「疲労」に関しては、疲労インジケータは、全く変色していないので、現時点では疲労値は非常に低いことを示している。
【００６７】
図５の下段には、フィジカルパラメータに関する「スピード」、「スタミナ」、「パワー」、「気性」及び「スタート」が、これらのパラメータの潜在能力に対する、現時点でのそれらの値との割合を反映したオブジェクト（丸）の形で表示されている。そして、「フィジカルパラメータ」の各オブジェクトは、夫々の潜在能力値と対応して回転運動をしている。ここで、「スピードパラメータ」のオブジェクトの回転速度が速い場合には、スピードに関する潜在能力が高いことを示す。また、当該オブジェクトの丸の大きさ及び色は、前記潜在能力の内、現時点でどの程度能力が備わっているかを示している。具体的には、大きく暖色系である場合には、前記潜在能力に近いスピード能力を現在備えていることを示し、逆に、小さく寒色系である場合には、前記潜在能力に遠いスピード能力を現在備えていることを示す。これらのパラメータを参考にして、プレイヤーは、当該週に調教を行うか否かを画面上の「はい」又は「いいえ」をタッチすることにより決定する。
【００６８】
図４のフローチャートに戻ると、ステップ１０２でＹｅｓの場合、即ち、プレイヤーがタッチパネルで「はい」を選択した場合、ステップ１０４で、表示制御部３は、調教メニューを画面上に表示する。次に、ステップ１０６で、表示制御部３は、プレイヤーが調教内容を選択したか否かを判定する。
【００６９】
図６に、この際に表示される画面例を示す。図６の中段に調教メニュー（コース調教、ゲート、坂路、追い切り、森林馬道、プール）がリストアップされており、プレイヤーは、表示された各種パラメータを考慮して、タッチパネルで希望調教を選択することなる。例えば、ゲート練習をすると、「フィジカルパラメータ」である「スタート」に関するパラメータ値がアップする。
【００７０】
図４のフローチャートに戻ると、ステップ１０６でＹｅｓの場合、ステップ１０８で、表示制御部３は、当該選択した調教を開始する。次に、ステップ１１０で、主制御部１が、プレイヤーがタッチパネルを通じて所定の画像を直接変化させるような操作指示を行ったか否かを判定する。ステップ１１０でＹｅｓの場合、ステップ１１２で、主制御部１は、プレイヤーによる前記指示と「メンタルパラメータ」値に基づき、画面上の所定画像を変化させるか否か及び変化量を決定し、表示制御部３は、当該決定に従った画像表示を行う。他方、ステップ１１０でＮｏの場合、ステップ１１４で、主制御部１が、自動的に当該所定の画像を変化させるか否か及び変化量を決定し、表示制御部３は、当該決定に従った画像表示を行う。
【００７１】
図７に、調教として追いきりを選択した場合の画面例を示す。当該調教では、二頭の合わせ馬を行うものであり、併走させることによって競走馬の闘争本能を引き出し、それをかき立てる効果がある。調教においては、左に表示された目標タイムとなるよう（その結果、主として「フィジカルパラメータ」が加算される）、また、覚えさせたい脚質に合わせた調教内容とするよう（希望の「スキル」を取得するよう）、プレイヤーは、例えば、画面上の「追い」や「引き」をタッチすることにより、騎手が馬を追ったり引いたり、画面上の「鞭」をタッチすることにより、騎手が馬に鞭を叩いたりする。
【００７２】
図４のフローチャートに戻ると、ステップ１１６で、主制御部１は、当該調教が終了したか否かを判定する。尚、当該ステップでＮｏの場合、ステップ１１０に戻り、調教を継続する。他方、当該ステップでＹｅｓの場合、ステップ１１８で、主制御部１は、予定調教時間と実際の調教時間との時間差を算出する。そして、ステップ１２０で、主制御部１は、当該調教の内容（前記時間差も含む）及び「メンタルパラメータ値」に基づき、当該調教に基づき加算される「フィジカルパラメータ値」を算出すると共に、当該調教の内容（前記時間差も含む）に基づき、当該調教に基づき加減される「メンタルパラメータ値」を算出し、これらパラメータ値を更新すると共に、ステップ１２２で、主制御部１は、プレイヤーデータ管理部５にこれら更新後のパラメータ値を記録する。ここで、同一の時間差及び同一の調教内容の場合、「メンタルパラメータ」値が高いほど、より多くの「フィジカルパラメータ」値が加算される。
【００７３】
次に、ステップ１２４で、主制御部１は、当該育成馬の当該調教内容がいずれかの「経験パラメータ」の値がスキル取得条件を満足したか否かを判定する。ステップ１２４でＹｅｓの場合、ステップ１２６で、主制御部１は、該当する「スキル」を取得し、ステップ１２８で、主制御部１は、プレイヤーデータ管理部５に当該スキルと「経験パラメータ」を記録する。尚、ステップ１２４でＮｏの場合、次の処理｛厩舎フェーズ１（世話）２００｝に移行する。
【００７４】
例えば、調教の過程で、最初の方で鞭や追いを積極的に指示し、後半指示を控えることで、「大逃げ」や「超大逃げ」のスキルを獲得し、逆に、前半指示を出さず、後半のみ鞭や追い等で積極的に指示することで「ゆっくり仕掛ける」のスキルを獲得する。より具体的には、例えば、図７を参照しながら説明すると、併走馬が迫ってきた状況下、プレイヤーが鞭の指示を出し、その結果、当該併走馬を更に差を広げた場面を表示しているとした場合、当該調教内容により、「超大逃げ」というスキルを取得することになる。
【００７５】
次に、図８のフローチャートを参照しながら、厩舎フェーズ１（世話）に係る処理について説明する。まず、ステップ４００及びステップ７００で、主制御部１及び表示制御部３は、後述するレース登録処理とメンタルパラメータ表示処理を行う。次に、ステップ２０２で、表示制御部３は、世話を行うか否かをプレイヤーに確認するための画面を表示し、主制御部１が、プレイヤーが世話を行う旨の入力を行ったか否かを判定する。ステップ２０２でＹｅｓの場合、ステップ２０４で、表示制御部３は、世話メニューを表示する。次に、ステップ２０６で、主制御部３は、プレイヤーが世話内容を選択したか否かを判定する。尚、ステップ２０２でＮｏの場合、次の処理に移行する。
【００７６】
図９に、この際に表示される画面例を示す。図９の中段に世話メニュー（ブラッシング、シャワー、装蹄）がリストアップされており、プレイヤーは、表示された「メンタルパラメータ」を参考にして、タッチパネルで希望調教を選択することなる。
【００７７】
図８のフローチャートに戻ると、ステップ２０６でＹｅｓの場合、ステップ２０８で、表示制御部３は、当該選択した世話を開始する。次に、ステップ２１０で、主制御部１が、プレイヤーがタッチパネルを通じて所定の画像を直接変化させるような操作（世話）指示を行ったか否かを判定する。ステップ２１０でＹｅｓの場合、ステップ２１２で、主制御部１は、プレイヤーによる前記指示に基づき、画面上の馬の世話を行う。そして、ステップ２１４で、主制御部１はタイムアップか否かを判定し、当該ステップでＮｏの場合には、ステップ２１０に戻り、タイムアップまで当該操作を継続可能とする。次に、ステップ２１４でＹｅｓの場合、ステップ２１６で、主制御部１は、当該世話に基づいて加算される各「メンタルパラメータ値」を算出し、ステップ２１８で、プレイヤーデータ管理部５に更新後の該値を記録する。
【００７８】
図１０に、世話としてシャワーを選択した場合の画面例を示す。当該世話は、汚れた馬の体をシャワーで洗うというものであり、プレイヤーは、画面上の「シャワー」にタッチすることでシャワーの操作が可能となり、タッチパネル上でタッチしながら指を移動させることにより、シャワーも追従し、その結果、移動させた部分の馬の汚れが落ちるように構成されている。そして、シャワー終了後、例えば、落ちた汚れの程度に応じて、「メンタルパラメータ」である「やる気パラメータ」や「疲労パラメータ」の値が加算される。
【００７９】
次に、図１１のフローチャートを参照しながら、厩舎フェーズ２（餌）に係る処理について説明する。まず、ステップ４００、ステップ６００及びステップ７００で、主制御部１及び表示制御部３は、後述するレース登録処理、フィジカルパラメータ処理及びメンタルパラメータ処理を行う。次に、ステップ３０２で、表示制御部３は、餌メニューを表示する。次に、ステップ３０４で、表示制御部３は、プレイヤーが餌を指定したか否かを判定する。
【００８０】
図１２に、この際に表示される画面例を示す。図１２の中段に各種餌（にんじん、りんご、パワーサプリ）及び「えさやらない」がリストアップされており、プレイヤーは、表示された「メンタルパラメータ」を考慮して、タッチパネルで希望の餌又は餌を与えないことを選択することなる。
【００８１】
図１１のフローチャートに戻ると、ステップ３０４でＹｅｓの場合、ステップ３０６で、表示制御部３は、指定された餌を馬に与える餌あげステップを開始する。次に、ステップ３０８で、主制御部１が、プレイヤーがタッチパネルを通じてバケツを傾けるような餌あげ指示を行ったか否かを判定する。ステップ３０８でＹｅｓの場合、ステップ３１０で、主制御部１は、プレイヤーによる前記指示に基づき、画面上のバケツを傾ける程度を決定すると共に、当該傾きから排出される餌の量を決定し、表示制御部３は、当該決定に従った画像表示を行う。そして、ステップ３１４で、主制御部１はタイムアップか否かを判定し、当該ステップでＮｏの場合には、ステップ３０８に戻り、タイムアップまで当該操作を継続可能とする（例えば、異なる種類の餌を与えることが可能である）。次に、ステップ３１４でＹｅｓの場合、ステップ３１６で、主制御部１は、当該餌あげに基づいて加算される各「フィジカルパラメータ値」及び各「メンタルパラメータ値」を算出してこれら値を更新し、ステップ３１８で、プレイヤーデータ管理部５に更新後の該値を記録する。なお、ステップ３０４でＮｏの場合は次の処理に移行する。
【００８２】
図１３に、餌としてりんごを選択した場合の画面例を示す。バケツに入ったリンゴは、傾けることにより、その傾ける程度に応じて外に排出される。プレイヤーは、画面上の「バケツ」にタッチすることでバケツの操作が可能となり、タッチパネル上でタッチしながら指を移動させることにより、バケツも追従し、その結果傾いたバケツからリンゴが排出されることとなる。そして、餌あげ終了後、与えた餌の種類と量に応じて、例えば、「フィジカルパラメータ」である「スタミナパラメータ」や「パワーパラメータ」及び「メンタルパラメータ」である「やる気パラメータ」が加算され、「メンタルパラメータ」である「疲労パラメータ」が減算される。逆に与えすぎると、体重が増加し、「メンタルパラメータ」である「仕上がりパラメータ」値が減算される。例えば、目標値を表示し、遊技者はその目標値に合わせるように操作をし、最終的にはその目標値と実際に与えた値との差を採り、その差に基づいてパラメータ値を変動させるように構成してもよい。
【００８３】
次に、図１４のフローチャートを参照しながら、レース登録処理について説明する。まず、ステップ６００及びステップ７００で、表示制御部３は、「フィジカルパラメータ」及び「メンタルパラメータ」を画面上に表示する。次に、ステップ４０２で、表示制御部３は、レースの番組表を表示する。次に、ステップ４０４で、主制御部１は、プレイヤーがレース登録したか否かを判定し、ステップ４０４でＹｅｓの場合、ステップ４０６で、主制御部１は、プレイヤーデータ管理部５に当該レース登録情報を記録する。尚、ステップ４０４でＮｏの場合、次の処理に移行する。
【００８４】
図１５に、この際に表示される画面例を示す。図１５の中段に６月の４週間のレース番組表がリストアップされており、プレイヤーは、表示された各種パラメータ値を参考にして、表示されたレース番組表から希望のレースを選択できる。そして、レース登録した週までゲームが進行したら出走となる。
【００８５】
次に、図１６のフローチャートを参照しながら、レースフェーズに係る処理について説明する。まず、ステップ５０２で、主制御部１は、プレイヤーデータ管理部５を参照して、当該週にレース登録されているか否かを判定する。ステップ５０２でＹｅｓの場合、ステップ６００及びステップ７００で、表示制御部３は、「フィジカルパラメータ」及び「メンタルパラメータ」を画面上に表示する。次に、ステップ５０４で、表示制御部３は、レースにおける騎乗指示リストを表示する。
【００８６】
図１７に、この際に表示される画面例を示す。図１７の中段に騎乗指示リストが表示されており、プレイヤーは、表示された各種パラメータや過去における育成馬の得意な戦法等を参考に、この中から作戦指示を与える。
【００８７】
図１６のフローチャートに戻ると、ステップ５０６で、主制御部１は、プレイヤーからの騎乗指示があったか否かを判定する。ステップ５０６でＹｅｓの場合、ステップ５０８で、主制御部１は、当該プレイヤーの育成馬以外の馬に関しては自動的に競走を開始し、当該プレイヤーの育成馬に関しては、ステップ５１０で、当該馬の「フィジカルパラメータ」及び「メンタルパラメータ」に基づき、騎乗指示があった場合には、当該騎乗指示も加味した上で、当該馬の競走を開始（レースを表示）する。
【００８８】
次に、ステップ５１２で、主制御部１は、所定距離に到達したか否かを判定する。具体的には、スタート直後３００ｍとゴール前６００ｍのいずれかに到達したか否かを判定する。尚、レース距離が１４００ｍ以下の場合は、所定距離は後者の場合だけとする。ステップ５１２でＹｅｓの場合、ステップ５１４で、表示制御部３は、選択可能な「スキル」を画面上に表示する。ここで、選択可能な「スキル」として、デフォルトの「スキル」に加え、当該馬が調教や過去のレースを通じて経験的に取得した「スキル」も併せた形で表示される。
【００８９】
図１８及び図１９に、この際に表示される画面例を示す。図１８及び図１９の中段に示されているリストが、「スキル」であり、図１８に関しては、デフォルトで設定されている「騎手にお任せ」及び「現在位置キープ」に加え、調教や過去のレースでの経験を通じて取得した「大逃げ」、「逃げ」及び「引き付ける」が選択可能なものとして表示されており、図１９に関しては、デフォルトで設定されている「騎手にお任せ」及び「ゆっくり仕掛ける」に加え、調教や過去のレースでの経験を通じて取得した「大まくり」、「マーク」及び「死んだふり」が選択可能なものとして表示されている。尚、右下欄には、当該レースの距離、その右が、現在の経過タイム、そして、その下が残り距離を示しており、プレイヤーは、これらの情報に基づき、レースペースを認識することができ、当該ペースをも考慮した上で、必要に応じて当該タイミングで騎手に指示を与える。尚、本最良形態における「スキル」指示タイミングは、スタートしてから３００ｍ経過後〜５００ｍ経過迄（図１８）と、ゴール６００ｍ前到達後〜４００ｍ前到達迄（図１９）である。
【００９０】
図１６のフローチャートに戻ると、ステップ５１６で、主制御部１が、所定距離に達する前にプレイヤーがタッチパネルを通じて表示された「スキル」リストから、当該レース展開等に基づき、騎手に指令を与えることを希望する「スキル」を選択したか否かを判定する。本ステップ５１６でＹｅｓの場合、ステップ５１８で、主制御部１が、選択した当該スキルを基に、プレイヤーの育成馬のレース運びをどのように変更するかを決定し、表示制御部３が、その決定に従い当該馬の位置を変更表示する。次に、ステップ５２０で、主制御部１は、選択した当該スキルが極めて適切又は極めて不適切な指示であったか否かを判定する。そして、ステップ５２０でＹｅｓの場合には、ステップ５２２で、主制御部１が、極めて適切な場合にはそれが極めて適切な指示であったことを示唆するカットイン画面を決定し、逆に、極めて不適切な場合にはそれが極めて不適切な指示であったことを示唆するカットイン画面を決定し、表示制御部３が、当該カットイン画面を表示する。
【００９１】
図２０及び図２１は、カットイン画面の例である。図２０は、前記「スキル」リストから選択したパラメータが、「大逃げ」であり、この指示が適切であった場合は、「大逃げ！！」というカットインが表示される。他方、図２１は、前記「スキル」リストから選択したパラメータが、「大逃げ」であり、この指示が不適切であった場合は、「大逃げ失敗！」というカットインが表示される。
【００９２】
図１６のフローチャートに戻ると、ステップ５２４で、主制御部１は、レースが終了したか否か、即ち、参加したすべての馬がゴールしたか否かを判定する。ステップ５２４でＹｅｓの場合、ステップ５２６で、主制御部１は、プレイヤーの育成馬の当該レース結果や当該レース運びに基づき、経験パラメータを更新し、コンピュータが準備した全「スキル」のうち付与条件を満足した、当該馬が所有していない新たな「スキル」が存在するか否かを判定する。そして、ステップ５２６でＹｅｓの場合、ステップ５２８で、主制御部１は、前記馬は当該新たな「スキル」を取得し、ステップ５３０で、プレイヤーデータ管理部５に当該新たな「スキル」を記録する。例えば、当該レースにおいて、プレイヤーの育成馬が、強力な逃げ馬をマークするレース運びを行い、その結果、前記逃げ馬を最後の直線で失速させた場合、「逃げ馬つつけ」という新たな「スキル」を取得することになる。次に、ステップ５３２で、主制御部１は、当該レース結果及び当該レース運びに基づき加算される「フィジカルパラメータ」値及び加減される「メンタルパラメータ」値を算出し、「フィジカルパラメータ」値及び「メンタルパラメータ」値を更新し、ステップ５３４で、主制御部１は、更新後の「フィジカルパラメータ」値及び「メンタルパラメータ」値をプレイヤーデータ管理部５に記録する。尚、ステップ５２４でＮｏの場合はステップ５１２に移行し、ステップ５２６でＮｏの場合はステップ５３２に移行する。
【００９３】
次に、図２２のフローチャートを参照しながら、フィジカルパラメータ表示処理について説明する。まず、ステップ６０２で、主制御部１は、プレイヤーの育成馬の各「フィジカルパラメータ」値の潜在能力値をプレイヤーデータ管理部５から呼び出す。尚、ゲーム開始直後においては、プレイヤーカードに記録されている当該プレイヤーの育成馬に関する情報をカードリーダー６を介してプレイヤーデータ管理部５に落とす必要がある。次に、ステップ６０４で、主制御部１は、当該馬の現時点での各「フィジカルパラメータ」値をプレイヤーデータ管理部５から呼び出す。そして、ステップ６０６で、主制御部１は、各「フィジカルパラメータ」値に関して、前記潜在能力値と前記現時点での値とを比較して数値化する。次に、ステップ６０８で、主制御部１は、当該数値に基づき、各「フィジカルパラメータ」に対応するオブジェクトの大きさと色を決定する。この際、大きさは、当該数値に比例して大きくなり、他方、色は、当該数値に比例して寒色から暖色に移行する。但し、大きさと色は「一対一」対応である必要はなく、例えば、同一大きさで色が異なることが可能な構成を採ってもよい。例えば、僅かなパラメータ値の違いをプレイヤーに判別可能な状態にしようとする場合、大きさを僅かに変えても（例えば一ドット）、通常プレイヤーはこの差を判別できないのに対し、色の場合は僅かな変化でも判別可能な場合があるので、このような場合、大きさを同じくして色だけ相違する構成としても、前記目的を達成し得るからである。次に、ステップ６１０で、主制御部１は、前記潜在能力値に基づき、前記オブジェクトの回転速度を決定する。この際、前記速度は、潜在能力値の大きさに比例して大きく設定する。そして、ステップ６１２で、表示制御部３は、各「フィジカルパラメータ」値に係るオブジェクトについて、前記ステップ６０８及び前記ステップ６１０で決定した大きさ、色及び回転速度で表示する。
【００９４】
次に、図２３のフローチャートを参照しながら、メンタルパラメータ表示処理について説明する。まず、ステップ７０２で、主制御部１は、プレイヤーの育成馬の各「メンタルパラメータ」値をプレイヤーデータ管理部５から呼び出す。次に、ステップ７０４で、主制御部１は、当該数値に基づき、各「メンタルパラメータ」値に対応するインジケータの変色量を決定する。この際、変色量は、そのパラメータ値に比例して多くなる。そして、ステップ７０６で、表示制御部３は、各「メンタルパラメータ」値について、前記ステップ７０４で決定した量だけインジケータを変色表示する。
【００９５】
次に、本最良形態の競馬ゲームの遊技例を説明する。まず、プレイヤーは、ゲームを開始するためにコインを投入する。その後、プレイヤーは、カードリーダー６にプレイヤーカードを挿入する。尚、今回初めての遊技の場合には、当該プレイヤーカードには何も書き込まれていないか又は予め準備された馬の情報が書き込まれており、他方、過去のプレイの継続遊技の場合には、前回プレイ終了時点でのデータが書き込まれている。
【００９６】
尚、一番初めに本競馬ゲームをプレイする場合、プレイヤーがこれから育成する馬を取得する必要がある。ここで、当該取得方法としては、（１）前記のように購入したカードに予め育成馬が準備されている、（２）コンピュータで準備した既存の馬リストからプレイヤーが選択する、（３）血統理論等に基づき、プレイヤー自身が希望する牡馬と牝馬とを掛け合わせて生産する、のいずれを採用してもよい。尚、いずれの場合においても、選択する指標として、当該馬（選択する馬、掛け合わせる牡馬・牝馬）の各情報（例えば「フィジカルパラメータ」に関する潜在能力値と現在値、所有する「スキル」等）を表示してもよい。
【００９７】
次に、画面上では、第１週目の調教フェーズに入る。この時点で、今度どのレースに出走させるか既にプレイヤーが決めている場合には、希望のレースに登録手続を行う。例えば、図１５に表示された番組表の中から、登録を希望するレースを指でタッチすることにより登録確認画面が表示され、当該確認を行った後に登録手続が完了する。次に、当該週に調教を行うのか否かを、画面に表示された各種パラメータを参考に決定する。例えば、図５に表示された「はい」又は「いいえ」のいずれかを指でタッチすることにより調教の有無が決定される。ここで、調教を行うか否かを決定するに際し、表示された各種パラメータの状況を確認することが重要である。例えば、「やる気」の変色度が低い場合には、調教しても「フィジカルパラメータ」を高めるのに十分な効果を期待できず、「仕上がり」の変色度が高い場合には、これ以上仕上げると「疲労」の変色度が高くなり、後のレースに影響が出ることが予想され、また、「疲労」の変色度が高い場合には、調教してもいずれもパラメータを上げることも期待できないので、これらの場合には、プレイヤーは当該週の調教を中止する判断も採り得る。
【００９８】
次に、プレイヤーが調教することを選択した場合、プレイヤーは、表示された各種パラメータを考慮して、調教の種類を選択する。本最良形態においては、図６に示すように、調教の種類として、「スピードパラメータ」等をアップさせるためのコース調教、「スタートパラメータ」をアップさせるためのゲート調教、「パワーパラメータ」等をアップさせるための坂路調教、「やる気パラメータ」等をアップさせるための追い切り調教、「疲労パラメータ」をダウンさせるための森林馬道調教、「スタミナパラメータ」等をアップさせるためのプール調教が用意されている。その中から、現在の各種パラメータの状況を考慮して、希望する調教内容を指でタッチすることにより調教内容が決定する。
【００９９】
ここで、プレイヤーが、例えば、追い切り調教を選択したとして以下の説明をする。プレイヤーが追い切り調教を選択すると、追い切り調教画面に切り替わる。そして、画面上で調教が開始され、目標タイムが表示される（当該タイムをプレイヤーが設定できるようにしてもよい）。そして、プレイヤーは、基本的には、当該タイムに近い調教時間となるように馬をコントロールするよう努める。併せて、プレイヤーは、当該調教において馬に身につけさせたいテクニック（スキル）が存在する場合には、それをも考慮して馬をコントロールする。図７を参照しながら馬のコントロールの方法を説明すると、図７は、プレイヤーの育成馬が、後ろから来た併せ馬に迫られている状況を示している。当該状況で、例えば、プレイヤーが更に引き離すことを希望した場合には、プレイヤーは、図中の「追い」や「鞭」の部分を指で何度もタッチする操作を行い、逆に、プレイヤーが一旦当該育成馬を下げることを希望した場合には、プレイヤーは、図中の「引き」の部分を指で何度もタッチする操作を行う。このような操作を行うことで、馬は、基本的には、画面上でプレイヤーの意向に基づいた動き（速度）となる。
【０１００】
そして、当該調教が終了すると、画面上では、当該調教に基づいた各「フィジカルパラメータ」の加算値が表示され、各「フィジカルパラメータ」値のオブジェクトの大きさ及び色が、前記加算により変化する。更に、各「メンタルパラメータ」のインジケータの変色量も変化する。これで当該週は終了する。
【０１０１】
次に、画面上では、週が変わり厩舎フェーズ１（世話）に切り替わる。この時点でも、今度どのレースに出走させるか既にプレイヤーが決めている場合には、希望のレースに登録手続を行う。次に、プレイヤーは、当該週において世話を選択するか否かを、画面に表示された各種パラメータを参考に決定する。例えば、図５（但し、図５の「調教しますか？」を「世話をしますか？」に読み替え）に表示された「はい」又は「いいえ」のいずれかを指でタッチすることにより世話の有無が決定される。ここで、世話を行うか否かを決定するに際しても、表示された各種パラメータの状況を確認することが重要である。例えば、「やる気」の変色度が低い場合や「疲労」の変色度が高い場合には、この後のレースや調教で好結果が期待できないので、何らかの世話を行って育成馬をいい気分にさせたりリラックスさせることにより、これらのパラメータ値を好適な方向に変化させる操作を行うことが好適である。
【０１０２】
次に、プレイヤーが世話を行うことを選択した場合、プレイヤーは、表示された各種パラメータを考慮して、世話の種類を選択する。本最良形態においては、図９に示すように、世話の種類として、馬の「やる気パラメータ」の値をアップさせる等のためのブラッシングや装蹄、馬の「疲労」をダウンさせるためのシャワーが用意されている。その中から、プレイヤーは、現在の各種パラメータの状況を考慮して、希望する世話内容を指でタッチすることにより世話内容を決定する。
【０１０３】
ここで、プレイヤーが、例えば、シャワーを選択したとして以下の説明をする。プレイヤーがシャワーを選択すると、図１０に示すようなシャワー画面に切り替わる。そして、プレイヤーの薄汚れた育成馬が表示されると共に、当該馬の近くに放水状態にあるシャワーが表示される。プレイヤーは、タッチパネル上でシャワー画像にタッチし、洗浄したい育成馬の箇所を指で摩ると、これに追従してシャワー画像も上下左右運動をし、その結果、当該育成馬の当該運動部分の汚れが落ち綺麗な馬体を取り戻す。
【０１０４】
そして、当該世話が終了すると、画面上では、当該世話の程度に応じて、各「メンタルパラメータ」のインジケータの変色量が変化する。これで当該週は終了する。
【０１０５】
次に、画面上では、週が変わり厩舎フェーズ２（餌）に切り替わる。この時点でも、今度どのレースに出走させるか既にプレイヤーが決めている場合には、希望のレースに登録手続を行う。次に、プレイヤーは、当該週において餌を与えるのか否か、また与えるとするとどの種類の餌を与えるのか否かについて、画面に表示された各種パラメータを考慮して決定する。例えば、図１２に表示された各種餌（「にんじん」、「りんご」、「パワーサプリ」）又は「えさやらない」のいずれかを指でタッチすることにより餌の有無及び餌の種類が決定される。ここで、餌を与えるか否かを決定するに際しても、表示された各種パラメータの状況を確認することが重要である。例えば、「パワーパラメータ」が低いと思われる場合や「疲労パラメータ」に係るインジケータの変色度が高い場合には、この後のレースや調教で好結果が期待できないので、餌を与える操作を行うことが好適である。他方、レース直前で「仕上げパラメータ」が高い場合、当該週に餌を与えると、せっかく仕上がった馬体が太くなる可能性があるので、そのように考えた場合には当該週に餌を与えない戦略もあり得る。
【０１０６】
ここで、プレイヤーが、餌として例えば「りんご」を選択した場合を想定して以下の説明をする。プレイヤーが「りんご」を選択すると、図１３に示すような餌あげ画面に切り替わる。プレイヤーは、バケツの画面のところに指を当て、バケツを傾斜させるようにタッチパネル上で指をスライドさせる。この傾斜の程度により、馬に供給されるりんごの量が変化する。即ち、傾斜を小さくした場合、馬に供給されるりんごの量は少なく、傾斜を大きくした場合、馬に供給されるりんごの量は多くなる。プレイヤーは、当該量をどの程度にするのかについて、表示されている各種パラメータを考慮して決定することになる。そして、予定量に達したと考えた場合、プレイヤーは、バケツが元の位置になる（即ち、傾斜を無くす）ようにタッチパネル上で指をスライドする。尚、餌は、所定時間が経過するまで付与できるので、他の餌を与えたり、又は既に与えた餌を追加的に与えることも可能である。
【０１０７】
そして、当該餌あげが終了すると、画面上では、当該餌の種類と量に応じて、各「フィジカルパラメータ」に係るオブジェクトの大きさ及び色が変化し、各「メンタルパラメータ」のインジケータの変色量が変化する。これで当該週が終了する。
【０１０８】
次に、画面上では、週が変わりレースフェーズに切り替わる。尚、当該週でレース登録されていない場合には、次の週に移行する。以下では、当該週でレース登録されていることを想定して話を進める。まず、プレイヤーは、自身の育成馬の各種パラメータや脚質等を踏まえて、当該レースでのレース運びについて騎手に指示を与える。例えば、図１７に表示されたレース運びに関する指示（「大逃げ」、「逃げ」・・・）のいずれかを指でタッチすることにより当該指示が決定される。
【０１０９】
そして、画面上では、当該指示が与えられた後、レースがスタートする。プレイヤーは、レース中は基本的には何も操作せず（後述の指示変更操作を除く）、画面に表示された現在の距離やラップを確認しながら、自身の育成馬を含む各出走馬の動きや位置取り等を観戦することになる。
【０１１０】
そして、当該育成馬が第一の所定距離（スタート後４００ｍ）に到達した際、プレイヤーは、当該レースのこれまでの内容を踏まえて、自身の育成馬のレース運びについて改めて指示を出せるようになる。例えば、当該レースがスローペースである場合には、「大まくり」を選択することにより、当該馬のペースを上げることが可能になる。この際、選択可能な指示は、図１８に示すようにリスト表示されており、プレイヤーは、この中から希望の指示を指でタッチすることにより選択することとなる。因みに、リスト表示される指示は、当該育成馬の位置取りに応じて、異なった種類のものが表示されるように構成されている。例えば、当該育成馬が、現在逃げている場合、「逃げ馬つつけ」といった、当該育成馬の位置取りと矛盾する「スキル」は表示されない（選択されない）ようになっている。尚、当該指示が選択可能な時間は、所定距離（スタート後５００ｍ）に到達するまでであり、これまでに選択しなかった場合は、当該育成馬の騎手は、レース前に出した指示に引き続き従うことになる。
【０１１１】
ここで、プレイヤーがレース運び変更指示を出した場合、それが極めて適切である場合には、図２０に示すようにカットイン表示が画面上でなされる。他方、プレイヤーがレース運び変更指示を出した場合、それが極めて不適切である場合にも、図２１に示すようにカットイン表示が画面上でなされる。ここで、カットイン表示を行う基準であるが、例えば、「フィジカルパラメータ」、「メンタルパラメータ」及びこれまでの当該レース内容等に基づき、指示を出したレース運びに当該管理馬が従うことができたか否かで判断したり、又は、当該指示を出した場合と出さない場合とでの順位差に基づいて判断する。
【０１１２】
そして、当該育成馬が第二の所定距離（ゴール前６００ｍ）に到達した際、プレイヤーは、当該レースのこれまでの内容を踏まえて、自身の育成馬のレース運びについて二回目の変更指示を出せるようになる。例えば、当該レースがハイペースである場合には、「引き付ける」を選択することにより、当該馬のペースを下げることが可能になる。この際、選択可能な指示は、図１９に示すようにリスト表示されており、プレイヤーは、この中から希望の指示を指でタッチすることにより選択することとなる。尚、当該指示が選択可能な時間は、所定距離（ゴール前４００ｍ）に到達するまでであり、これまでに選択しなかった場合は、当該育成馬の騎手は、これまでに出した指示に従うことになる。尚、当該レース運び変更指示に基づいても、それが極めて適切である場合やそれが極めて不適切である場合に、前記同様、画面上でカットイン表示がなされる。
【０１１３】
そして、当該レースが終了すると、画面上では、レース結果と共に、当該レースに基づいた各「フィジカルパラメータ」の加算値が表示され、各「フィジカルパラメータ」値のオブジェクトの大きさ及び色が、前記加算により変化する。更に、各「メンタルパラメータ」のインジケータの変色量も変化する。加えて、当該レースで新たに取得した「スキル」も表示する。これで当該週は終了する。そして、以後、調教フェーズ→厩舎フェーズ→レースフェーズを繰り返しながら、プレイヤーは、自身の所有馬を育成して強い馬にしていくことを楽しんでいくことになる。
【図面の簡単な説明】
【０１１４】
【図１】図１（Ａ）は、本最良形態における各種パラメータ（「メンタルパラメータ」、「フィジカルパラメータ」及び「スキル」）の相互関係を示した図である。図１（Ｂ）は、経験パラメータとスキルとの関係を示したものである。
【図２】図２は、本最良形態における構成要素のブロック図である。
【図３】図３は、本最良形態におけるメインフローチャートである。
【図４】図４は、本最良形態の調教フェーズにおける処理を示したフローチャートである。
【図５】図５は、本最良形態の調教フェーズにおいて調教を行うか否かをプレイヤーに確認する際の画面である。
【図６】図６は、本最良形態の調教フェーズにおいて調教内容をプレイヤーに確認する際の画面である。
【図７】図７は、本最良形態の調教フェーズでの追い切り調教を行っている際の画面である。
【図８】図８は、本最良形態の厩舎フェーズ１（世話）における処理を示したフローチャートである。
【図９】図９は、本最良形態の厩舎フェーズ１（世話）において世話内容をプレイヤーに確認する際の画面である。
【図１０】図１０は、本最良形態の厩舎フェーズ１（世話）においてシャワーで育成馬を洗浄している際の画面である。
【図１１】図１１は、本最良形態の厩舎フェーズ２（餌）における処理を示したフローチャートである。
【図１２】図１２は、本最良形態の厩舎フェーズ２（餌）において餌の有無及び種類をプレイヤーに確認する際の画面である。
【図１３】図１３は、本最良形態の厩舎フェーズ２（餌）において餌（りんご）を与えている際の画面である。
【図１４】図１４は、本最良形態のレース登録処理を示したフローチャートである。
【図１５】図１５は、本最良形態のレース登録処理において登録を希望するレースをプレイヤーに確認する際の画面（番組表）である。
【図１６】図１６は、本最良形態のレースフェーズにおける処理を示したフローチャートである。
【図１７】図１７は、本最良形態のレースフェーズにおける、レース前に当該レースのレース運びをプレイヤーに確認する際の画面である。
【図１８】図１８は、本最良形態のレースフェーズにおける、レース後に当該レースのレース運びをプレイヤーに確認する際の画面（第一のタイミング）である。
【図１９】図１９は、本最良形態のレースフェーズにおける、レース後に当該レースのレース運びをプレイヤーに確認する際の画面（第二のタイミング）である。
【図２０】図２０は、本最良形態のレースフェーズにおける、前記レース後に当該レースのレース運びを指示した際に、当該指示が適切だったことを示すカットイン表示画面である。
【図２１】図２１は、本最良形態のレースフェーズにおける、前記レース後に当該レースのレース運びを指示した際に、当該指示が不適切だったことを示すカットイン表示画面である。
【図２２】図２２は、本最良形態のフィジカルパラメータ表示処理を示したフローチャートである。
【図２３】図２３は、本最良形態のメンタルパラメータ表示処理を示したフローチャートである。
【符号の説明】
【０１１５】
１  主制御部
２  タッチパネル式ディスプレー
３  表示制御部
４  音響表示部
５  プレイヤーデータ管理部
６  カードリーダー
７  他馬データ管理部
８  通信制御部
【図１】
2006068131.tif 000003
【図２】
2006068131.tif 000004
【図３】
2006068131.tif 000005
【図４】
2006068131.tif 000006
【図５】
2006068131.tif 000007
【図６】
2006068131.tif 000008
【図７】
2006068131.tif 000009
【図８】
2006068131.tif 000010
【図９】
2006068131.tif 000011
【図１０】
2006068131.tif 000012
【図１１】
2006068131.tif 000013
【図１２】
2006068131.tif 000014
【図１３】
2006068131.tif 000015
【図１４】
2006068131.tif 000016
【図１５】
2006068131.tif 000017
【図１６】
2006068131.tif 000018
【図１７】
2006068131.tif 000019
【図１８】
2006068131.tif 000020
【図１９】
2006068131.tif 000021
【図２０】
2006068131.tif 000022
【図２１】
2006068131.tif 000023
【図２２】
2006068131.tif 000024
【図２３】
2006068131.tif 000025